(57)【特許請求の範囲】
【請求項１】
テープ上に画像を印刷するための印刷データをプレビュー表示する表示装置であって、
前記印刷データをＮ分割して、Ｎ個の分割データ（但し、Ｎ≧１となる整数）を生成する分割データ生成部と、
前記Ｎ個の分割データのうち、前記プレビュー表示の対象領域を含む対象分割データをワークエリアに展開し、当該ワークエリアから順次分割データを読み出すことにより、前記プレビュー表示を行うプレビュー表示部と、を備え、
前記分割データ生成部は、前記テープのテープ幅、および前記印刷データを印刷した場合のテープ長に応じて、前記Ｎの値を決定すると共に、前記印刷データにキャラクターが含まれる場合、１のキャラクターが２以上の前記分割データに分割されないように、前記Ｎ個の分割データの分割位置を設定することを特徴とする表示装置。
【請求項２】
前記プレビュー表示部は、前記Ｎ個の分割データのうち、前記プレビュー表示の対象領域を含む対象分割データと、当該対象分割データに隣接する隣接分割データをワークエリアに展開し、当該ワークエリアから順次分割データを読み出すことにより、前記プレビュー表示を行うことを特徴とする請求項１に記載の表示装置。
【請求項３】
前記分割データ生成部は、前記印刷データをテープ長方向にＮ分割して、前記Ｎ個の分割データを生成することを特徴とする請求項１または２に記載の表示装置。
【請求項４】
前記分割データ生成部は、各分割データを前記テープに印刷した場合の各部分テープ長が略均等となるように、各分割データを分割することを特徴とする請求項３に記載の表示装置。
【請求項５】
前記プレビュー表示をスクロールさせるためのフリック操作部をさらに備えたことを特徴とする請求項１ないし４のいずれか１項に記載の表示装置。
【請求項６】
請求項１ないし５のいずれか１項に記載の表示装置と、
前記印刷データを生成する印刷データ生成部と、
前記印刷データを、テープ印刷装置に送信する印刷データ送信部と、を備えたことを特徴とする携帯端末。
【請求項７】
テープ上に画像を印刷するための印刷データをプレビュー表示する表示装置の制御方法であって、
前記表示装置が、
前記印刷データをＮ分割して、Ｎ個の分割データ（但し、Ｎ≧１となる整数）を生成する分割データ生成ステップと、
前記Ｎ個の分割データのうち、前記プレビュー表示の対象領域を含む対象分割データをワークエリアに展開し、当該ワークエリアから順次分割データを読み出すことにより、前記プレビュー表示を行うプレビュー表示ステップと、を実行し、
前記分割データ生成ステップにおいて、前記表示装置は、前記テープのテープ幅、および前記印刷データを印刷した場合のテープ長に応じて、前記Ｎの値を決定すると共に、前記印刷データにキャラクターが含まれる場合、１のキャラクターが２以上の前記分割データに分割されないように、前記Ｎ個の分割データの分割位置を設定することを特徴とする表示装置の制御方法。
【請求項８】
コンピューターに請求項７に記載の表示装置の制御方法における各ステップを実行させるためのプログラム。
【発明の詳細な説明】
【技術分野】
【０００１】
本発明は、テープ上に画像を印刷するための印刷データをプレビュー表示する表示装置、携帯端末、表示装置の制御方法およびプログラムに関するものである。
【背景技術】
【０００２】
従来、この種の表示装置として、作成されるラベルの全体に相当する印刷データ（ラベルイメージ）を部分的にスクロールさせながらプレビュー表示するテープ印刷装置が知られている（特許文献１参照）。このようなプレビュー表示は、ラベルに印刷される実際の印刷結果をユーザーに提示するために行われる。よって、この種のテープ印刷装置は、一般的に、実際に作成されるラベルに即したサイズの印刷データを装置のワークエリアに展開し、当該ラベルデータの一部分をプレビュー表示する。
【先行技術文献】
【特許文献】
【０００３】
【特許文献１】特開２００９−０３９８９３号公報
【発明の概要】
【発明が解決しようとする課題】
【０００４】
ところで、近年、スマートフォンやタブレット等の携帯端末に、ラベル作成用のアプリケーションを起動させて、印刷データ作成装置として機能させることが検討されている。かかる際、従来の構成を適用し、上記のプレビュー表示を行いながら、印刷データを作成することが考えられる。
しかしながら、従来の構成では、作成するラベルが大きくなるにつれて、プレビュー表示のためにワークエリアに展開する印刷データのデータ量が増大する。よって、印刷データのデータ量が携帯端末のワークエリアの容量をオーバーすると、プレビュー表示が不能となる可能性がある。
【０００５】
本発明は、印刷データのデータ量によらず、適切にプレビュー表示を行うことができる表示装置、携帯端末、表示装置の制御方法およびプログラムを提供することを目的とする。
【課題を解決するための手段】
【０００６】
本発明の表示装置は、テープ上に画像を印刷するための印刷データをプレビュー表示する表示装置であって、印刷データをＮ分割して、Ｎ個の分割データ（但し、Ｎ≧１となる整数）を生成する分割データ生成部と、Ｎ個の分割データのうち、プレビュー表示の対象領域を含む対象分割データをワークエリアに展開し、当該ワークエリアから順次分割データを読み出すことにより、プレビュー表示を行うプレビュー表示部と、を備え、分割データ生成部は、テープのテープ幅、および印刷データを印刷した場合のテープ長に応じて、Ｎの値を決定すると共に、印刷データにキャラクターが含まれる場合、１のキャラクターが２以上の分割データに分割されないように、Ｎ個の分割データの分割位置を設定することを特徴とする。
上記の表示装置において、プレビュー表示部は、Ｎ個の分割データのうち、プレビュー表示の対象領域を含む対象分割データと、当該対象分割データに隣接する隣接分割データをワークエリアに展開し、当該ワークエリアから順次分割データを読み出すことにより、プレビュー表示を行うことを特徴とする。
上記の表示装置において、分割データ生成部は、印刷データをテープ長方向にＮ分割して、Ｎ個の分割データを生成することを特徴とする。
上記の表示装置において、分割データ生成部は、各分割データをテープに印刷した場合の各部分テープ長が略均等となるように、各分割データを分割することを特徴とする。
上記の表示装置において、プレビュー表示をスクロールさせるためのフリック操作部をさらに備えたことを特徴とする。
本発明の携帯端末は、上記の表示装置と、印刷データを生成する印刷データ生成部と、印刷データを、テープ印刷装置に送信する印刷データ送信部と、を備えたことを特徴とする。
本発明の表示装置の制御方法は、テープ上に画像を印刷するための印刷データをプレビュー表示する表示装置の制御方法であって、表示装置が、印刷データをＮ分割して、Ｎ個の分割データ（但し、Ｎ≧１となる整数）を生成する分割データ生成ステップと、Ｎ個の分割データのうち、プレビュー表示の対象領域を含む対象分割データをワークエリアに展開し、当該ワークエリアから順次分割データを読み出すことにより、プレビュー表示を行うプレビュー表示ステップと、を実行し、分割データ生成ステップにおいて、表示装置は、テープのテープ幅、および印刷データを印刷した場合のテープ長に応じて、Ｎの値を決定すると共に、印刷データにキャラクターが含まれる場合、１のキャラクターが２以上の分割データに分割されないように、Ｎ個の分割データの分割位置を設定することを特徴とする。
本発明のプログラムは、コンピューターに上記の表示装置の制御方法における各ステップを実行させることを特徴とする。
なお、以下の構成としても良い。
本発明の表示装置は、テープ上に画像を印刷するための印刷データをプレビュー表示する表示装置であって、印刷データをＮ分割して、Ｎ個の分割データ（但し、Ｎ≧１となる整数）を生成する分割データ生成部と、Ｎ個の分割データのうち、プレビュー表示の対象領域を含む対象分割データをワークエリアに展開し、当該ワークエリアから順次分割データを読み出すことにより、プレビュー表示を行うプレビュー表示部と、を備え、分割データ生成部は、テープのテープ幅、および印刷データを印刷した場合のテープ長に応じて、Ｎの値を決定することを特徴とする。
【０００７】
本発明の表示装置の制御方法は、テープ上に画像を印刷するための印刷データをプレビュー表示する表示装置の制御方法であって、表示装置が、印刷データをＮ分割して、Ｎ個の分割データ（但し、Ｎ≧１となる整数）を生成する分割データ生成ステップと、Ｎ個の分割データのうち、プレビュー表示の対象領域を含む対象分割データをワークエリアに展開し、当該ワークエリアから順次分割データを読み出すことにより、プレビュー表示を行うプレビュー表示ステップと、を実行し、分割データ生成ステップにおいて、表示装置は、テープのテープ幅、および印刷データを印刷した場合のテープ長に応じて、Ｎの値を決定することを特徴とする。
【０００８】
本発明のプログラムは、コンピューターに上記の表示装置の制御方法における各ステップを実行させることを特徴とする。
【０００９】
これらの構成によれば、印刷データを分割し、プレビュー表示の対象領域を含む対象分割データのみをワークエリアに展開するため、ワークエリアに展開するデータ量を抑えることができる。よって、印刷データの全体のデータ量がワークエリアの容量を超える場合であっても、メモリー不足となってプレビュー表示が不能となることがない。なお、プレビュー表示部（プレビュー表示ステップ）は、プレビュー表示の対象領域が複数の分割データに亘る場合、当該複数の分割データをワークエリアに展開する。
【００１０】
この場合、プレビュー表示部は、Ｎ個の分割データのうち、プレビュー表示の対象領域を含む対象分割データと、当該対象分割データに隣接する隣接分割データをワークエリアに展開し、当該ワークエリアから順次分割データを読み出すことにより、プレビュー表示を行うことを特徴とする。
【００１１】
この構成によれば、プレビュー表示の対象領域を含む対象分割データに加えて、これに隣接する隣接分割データをワークエリアに展開させておくため、ワークエリアに展開するデータ量を抑えつつも、プレビュー表示の対象領域を隣り合う複数の分割データの間でスムーズに移動させることができる。
【００１２】
これらの場合、分割データ生成部は、印刷データをテープ長方向にＮ分割して、Ｎ個の分割データを生成することが好ましい。
【００１３】
この構成によれば、テープ長の長いテープ上に印刷される印刷結果を適切にプレビュー表示することができる。
【００１４】
この場合、分割データ生成部は、各分割データをテープに印刷した場合の各部分テープ長が略均等となるように、各分割データを分割することが好ましい。
【００１５】
この構成によれば、分割データごとにプレビュー表示する場合、プレビュー表示されるデータの長さを均等にすることができる。また、プレビュー表示の対象領域が異なる分割データに移動しても、ワークエリアに展開するデータ量を均等にすることができる。
【００１６】
上記の表示装置において、プレビュー表示をスクロールさせるためのフリック操作部をさらに備えていることが好ましい。
【００１７】
この構成によれば、ユーザーの操作によって、プレビュー表示の対象領域を移動させることができる。
【００１８】
上記の表示装置において、分割データ生成部は、印刷データにキャラクターが含まれる場合、１のキャラクターが２以上の分割データに分割されないように、各分割データの分割位置を設定することが好ましい。
【００１９】
この構成によれば、複数の分割データの境界に１つのキャラクターが存在し、キャラクターの一部のみがプレビュー表示されるのを防ぐことができる。
【００２０】
本発明の携帯端末は、上記の表示装置と、印刷データを生成する印刷データ生成部と、印刷データを、テープ印刷装置に送信する印刷データ送信部と、を備えたことを特徴とする。
【００２１】
この構成によれば、ワークエリアに展開するデータ量を抑え適切に印刷データのプレビュー表示を行うことのできる印刷データ作成装置として機能する携帯端末を実現することができる。
【図面の簡単な説明】
【００２２】
【図１】本発明の一実施形態に係る印刷システムのシステム構成図である。
【図２】携帯端末の制御ブロック図である。
【図３】携帯端末の機能ブロック図である。
【図４】編集画面を示した図である。
【図５】プレビュー表示画面を示した図である。
【図６】印刷データの分割について説明した図である。
【図７】プレビュー表示画面の画面遷移およびＲＡＭに展開される分割イメージデータを示した図である。
【図８】プレビュー表示処理を示したフローチャートである。
【発明を実施するための形態】
【００２３】
以下、添付の図面を参照して、本発明の表示装置、携帯端末、表示装置の制御方法およびプログラムについて説明する。本実施形態では、表示装置として機能する携帯端末と、テープ印刷装置とにより構成される印刷システムを例に挙げて説明する。
【００２４】
図１に示すように、印刷システム１は、印刷データ生成用のアプリケーションを搭載した携帯端末２と、携帯端末２上で生成した印刷データを印刷テープＴに印刷するテープ印刷装置３と、無線ＬＡＮ（Ｌｏｃａｌ  Ａｒｅａ  Ｎｅｔｗｏｒｋ）ルーター４とにより構成されている。このうち、携帯端末２と無線ＬＡＮルーター４とは無線接続され、無線ＬＡＮルーター４とテープ印刷装置３とはケーブル５により有線接続されている。なお、印刷システム１が、複数の携帯端末２を備えている場合には、複数の携帯端末２により単一のテープ印刷装置３を共有使用可能に構成している。
【００２５】
携帯端末２は、タッチパネル１２を備えたタブレット端末である。そして、携帯端末２に、印刷データ生成用のアプリケーションをインストールし、これを起動させることで、当該携帯端末２が、印刷データを生成する印刷データ生成装置として機能する。
【００２６】
テープ印刷装置３は、長尺状の印刷テープＴを繰り出し可能に収容したテープカートリッジ１６を装着しており、印刷テープＴを繰り出しつつ、携帯端末２から受信した印刷データに基づいて、印刷処理および切断処理を行って、ラベルを作成する。
【００２７】
図２は、携帯端末２の制御ブロック図である。図２に示すように、携帯端末２は、ユーザーインターフェースである上記タッチパネル１２と、無線ＬＡＮルーター４を介してテープ印刷装置３との通信を行う無線通信装置１３と、これらを制御する制御装置２１と、各種データを記憶するフラッシュＲＯＭ（Ｆｌａｓｈ  Ｒｅａｄ  Ｏｎｌｙ  Ｍｅｍｏｒｙ）２２と、を備えている。タッチパネル１２は、印刷データを生成するための編集画面Ｄ１や印刷結果をプレビュー表示するためのプレビュー表示画面Ｄ２を表示する。
【００２８】
制御装置２１は、ＣＰＵ（Ｃｅｎｔｒａｌ  Ｐｒｏｃｅｓｓｉｎｇ  Ｕｎｉｔ）３１、ＲＯＭ（Ｒｅａｄ  Ｏｎｌｙ  Ｍｅｍｏｒｙ）３２およびＲＡＭ（Ｒａｎｄｏｍ  Ａｃｃｅｓｓ  Ｍｅｍｏｒｙ）３３から成る。ＣＰＵ３１は、中央処理装置であり、各種演算処理を行う。ＲＯＭ３２は、ＣＰＵ３１が各種演算処理を行うための制御プログラムを記憶し、ＲＡＭ３３は、ＣＰＵ３１が各種演算処理を行う際のワークエリアとして用いられる。また、ＲＡＭ３３は、プレビュー表示するためのデータを一時的に展開するワークエリアとして用いられる。フラッシュＲＯＭ２２は、テープ印刷装置３に関する各種データを記憶すると共に、印刷データ生成用のアプリケーションを記憶している。なお、生成した印刷データやプレビュー表示や印刷のために生成されたイメージデータも、フラッシュＲＯＭ２２に保存される。
【００２９】
ここで、図３を参照し、携帯端末２の機能構成について説明する。図３に示すように、携帯端末２は、印刷データ生成部４１、分割データ生成部４２、プレビュー表示部４３、フリック操作部４４、および印刷データ送信部４５を備えている。
【００３０】
印刷データ生成部４１は、印刷テープＴに印刷を行うための印刷データを生成する。印刷データは、編集画面Ｄ１の結果に基づいて生成される。分割データ生成部４２は、プレビュー表示のために、生成された印刷データおよび設定されたテープ幅に基づいて、印刷実寸大の印刷イメージデータＡを生成する。印刷イメージデータＡは、プレビュー表示画面Ｄ２の画素数に応じた印刷実寸大のビットマップデータ（画像データ）である。そして、印刷イメージデータＡを分割し、分割イメージデータＢ（１１１〜１１５）を生成する（図６参照）。すなわち、分割イメージデータＢは、印刷イメージデータＡが複数に分割されたビットマップデータ（画像データ）である。なお、請求項における「印刷データ」とは、印刷イメージデータＡをさし、「分割データ」とは、分割イメージデータＢをさす。
【００３１】
プレビュー表示部４３は、生成された印刷イメージデータＡをＲＡＭ３３に展開し、プレビュー表示画面Ｄ２に印刷結果をプレビュー表示する。なお、プレビュー表示部４３は、印刷イメージデータＡを分割した分割イメージデータＢごとにＲＡＭ３３に展開し、ＲＡＭ３３から分割イメージデータＢ（１１１〜１１５）を順次読み出すことによりプレビュー表示画面Ｄ２に印刷結果をプレビュー表示する。詳しくは後述するが、本実施形態において、プレビュー表示部４３は、印刷イメージデータＡのうち、プレビュー表示画面Ｄ２のプレビュー表示領域Ｅ５と同一面積を有する対象領域Ｅ６（プレビュー表示の対象領域）を含む分割イメージデータＢと、これに隣接する分割イメージデータＢと、をＲＡＭ３３に展開し、対象領域Ｅ６の変化に伴ってＲＡＭ３３から分割イメージデータＢを順次読み出して、プレビュー表示を行う。なお、印刷イメージデータＡの分割（分割イメージデータＢの生成）は、印刷イメージデータＡのデータ量がＲＡＭ３３の容量Ｘを超えた場合に行われる。これにより、プレビュー表示のために展開するデータ量を抑えることができるため、ＲＡＭ３３のメモリー不足によってプレビュー表示不能となることがない。
【００３２】
フリック操作部４４は、タッチパネル１２を主要部とし、プレビュー表示画面Ｄ２上でプレビュー表示をスクロールするための操作手段である。印刷データ送信部４５は、無線通信装置１３を主要部とし、編集画面Ｄ１により編集した印刷データを、テープ印刷装置３に送信する。
【００３３】
次に、図４および図５を参照し、編集画面Ｄ１およびプレビュー表示画面Ｄ２の画面構成について説明する。図４に示すように、編集画面Ｄ１は、編集結果表示領域Ｅ１、メニュー表示領域Ｅ２、ステータス表示領域Ｅ３および操作ボタン表示領域Ｅ４を有している。
【００３４】
編集結果表示領域Ｅ１は、印刷テープＴのイメージであるテープイメージ上に、編集中の印刷データを重畳して表示する。また、フリック操作（タッチパネル１２上を指で軽くはらう操作）によって、テープ長方向へのスクロール表示が可能となっている。なお、編集結果表示領域Ｅ１では、携帯端末２で設定されたテープ幅またはテープ印刷装置３に実際に装着されている印刷テープＴのテープ幅にかかわらず、表示されるテープイメージのテープ幅は、固定の長さとなる。つまり、編集結果表示領域Ｅ１は、実際の印刷結果を縮小（または拡大）した印刷データを表示する。すなわち、編集結果表示領域Ｅ１は、印刷結果のレイアウトや編集内容を確認するために用いられる。
【００３５】
メニュー表示領域Ｅ２は、テープ長設定メニュー５１、テープ幅設定メニュー５２、文字サイズ設定メニュー５３およびイメージ設定メニュー５４を含む。テープ長設定メニュー５１は、作成されるラベルのテープ長を印刷データに応じて自動設定する自動設定ボタンと、作成されるラベルのテープ長をユーザーが手動設定する固定設定ボタンと、手動設定の際にテープ長を入力するテキストボックスと、を有している。テープ長を手動設定したい場合、ユーザーは固定設定ボタンを選択し、その後テキストボックスにテープ長をｍｍ単位で数値入力する。携帯端末２は、テープ長が手動設定されると、設定されたテープ長となるように印刷データを編集する。
【００３６】
テープ幅設定メニュー５２は、印刷テープＴのテープ幅を、「１００ｍｍ」、「５０ｍｍ」、「３６ｍｍ」、「２４ｍｍ」、「１８ｍｍ」、「１２ｍｍ」の中から選択可能となっている。なお、テープ印刷装置３に実際に装着されている印刷テープＴのテープ幅と、テープ幅設定メニュー５２設定されたテープ幅とが異なる場合、印刷指示時（後述する「印刷ボタン」５９の押下時）にポップアップ画面が表示される。特に図示しないが、ポップアップ画面には、「テープ幅を合わせて印刷」、「テープを交換して印刷」、「キャンセル」の３つの選択肢が表示される。ここで「テープ幅を合わせて印刷」が選択されると、テープ印刷装置３に装着されている印刷テープＴのテープ幅に合わせて印刷データを編集し（拡大／縮小処理を行い）、印刷データをテープ印刷装置３に送信する。また、「テープを交換して印刷」が選択されると、テープ印刷装置３のテープカートリッジ２１の交換を検出し、装着された印刷テープＴのテープ幅と設定されたテープ幅とが一致したと判定した場合、印刷データをテープ印刷装置３に送信する。また、「キャンセル」が選択されると、ポップアップ画面を非表示にする。
【００３７】
文字サイズ設定メニュー５３は、文字（テキスト）の文字サイズを、「大」、「中」、「小」の中から選択可能となっている。なお、これら「大」、「中」、「小」は、印刷テープＴに対する相対的なサイズであるため、絶対的なフォントサイズを指定するものではない。
【００３８】
イメージ設定メニュー５４は、イメージ（画像データ）の挿入位置を、「なし」、「左」、「全体」、「右」の中から選択可能となっている。ここで、「左」が選択されると、ラベルに対しイメージを左寄せの配置とする（テープ前端側にイメージを配置する）。また、「右」が選択されると、ラベルに対しイメージを右寄せの配置とする（テープ後端側にイメージを配置する）。さらに、「全体」が選択されると、テープ幅方向にイメージを拡大し、ラベル全体にイメージを配置する。
【００３９】
ステータス表示領域Ｅ３は、テープ印刷装置３のステータス情報を表示する。本実施形態の携帯端末２は、テープ印刷装置３に対し定期的にステータス送信要求を行い、テープ印刷装置３はこれに対してステータス情報を返信する。なお、ステータス情報としては、テープ印刷装置３の機種名、テープ幅、テープ印刷装置３の状態を示す情報（各種エラー情報を含む）を表示する。このうち、テープ幅は、テープ印刷装置３のテープ識別センサー（図示省略）の検出結果に基づく情報である。
【００４０】
操作ボタン表示領域Ｅ４は、「開く」ボタン５５、「保存」ボタン５６、「拡張設定」ボタン５７、「プレビュー」ボタン５８、「印刷」ボタン５９を有している。携帯端末２は、「開く」ボタン５５が選択されると、保存しておいた印刷データファイルを開く。また、「保存」ボタン５６が選択されると、生成した印刷データを、印刷データファイルとして保存する。また、「拡張設定」ボタン５７が選択されると拡張設定画面を表示する。特に図示しないが、拡張設定画面には、イメージ選択ボタンおよびＱＲコード作成ボタンが表示される。ここで、イメージ選択ボタンが選択されると、イメージ一覧の中から所望のイメージを選択するイメージ選択画面を表示する。また、ＱＲコード作成ボタンが選択されると、ＱＲコードを作成するためのＱＲコード作成画面を表示する。
【００４１】
一方、操作ボタン表示領域Ｅ４の中から「プレビュー」ボタン５８が選択されると、プレビュー表示画面Ｄ２（図５参照）を表示する。また、「印刷」ボタン５９が選択されると、テープ印刷装置３に対し印刷データを送信する。なお、「印刷」ボタン５９は、印刷データが確定した状態のみ、押下可能となっている。
【００４２】
図５は、プレビュー表示画面Ｄ２を示す図である。プレビュー表示画面Ｄ２は、テープ幅設定メニュー５２で設定されたテープ幅に応じて、実寸大でプレビュー表示を行うプレビュー表示領域Ｅ５を備えている。図５の例では、テープ幅が１００ｍｍに設定されているため、プレビュー表示のテープイメージの幅も１００ｍｍとなる。このように実寸大でプレビュー表示を行うため、実際にラベルを貼付する場所に携帯端末２のタッチパネル１２を置いて、ラベルの貼付イメージを確認することができる。なお、プレビュー表示画面Ｄ２では、ユーザーのフリック操作によって、２次元方向のスクロール表示が可能となっている。また、プレビュー表示画面Ｄ２の画面右下に表示されるクローズボタン６１が選択されると、編集画面Ｄ１に戻る。
【００４３】
ここで、図６を参照し、分割イメージデータＢの生成について説明する。なお、以下の説明において、印刷イメージデータＡをテープ長方向に分割して、分割イメージデータＢを生成する場合を例示する。図６（ａ）および（ｂ）に示すように、印刷イメージデータＡは、幅が１００ｍｍ、テープ長が７５０ｍｍであり、印刷実寸大の大きさを有している。図６（ａ）は、プレビュー表示画面Ｄ２に表示される印刷イメージデータＡをテープ長方向に５等分割した分割イメージデータＢ（１１１〜１１５）を示している。図示のように、各分割イメージデータＢは、テープ長が１５０ｍｍであり、各分割イメージデータＢの面積およびデータ量が均等となるように、印刷イメージデータＡが分割されて生成される。
【００４４】
一方、図６（ｂ）は、印刷イメージデータＡ内のキャラクター間において分割した分割イメージデータＢ（１１１〜１１５）を示している。すなわち、２つの分割イメージデータＢに１つのキャラクターが分割されないように、印刷イメージデータＡの分割位置（図中の点線部分）が設定される。よって、各分割イメージデータＢのテープ長は、異なる長さとなる。なお、この分割位置は、２値化されたビットマップデータ（印刷イメージデータＡ）において、テープ幅方向の少なくとも１列分のドットデータ内に「黒」を示すドットが存在しない部分をキャラクター間として検索し、この「黒」を示すドットが存在しない部分に設定しても良い。または、テキストデータ（印刷データに含まれる）のテキスト間からビットマップデータにおけるキャラクター間を算出し、当該キャラクター間に設定しても良い。
【００４５】
図７は、プレビュー表示の画面遷移およびＲＡＭ３３に展開される分割イメージデータＢについて示した図である。なお、図中の斜線部分は、プレビュー表示領域Ｅ５と同面積を有したプレビュー表示の対象領域Ｅ６を示している。なお、説明のため、対象領域Ｅ６をプレビュー表示領域Ｅ５としたときのプレビュー表示画面Ｄ２を２点差線で囲んで表示している。
【００４６】
図７（ａ）に示すように、対象領域Ｅ６が分割イメージデータ１１１内にある場合、ＲＡＭ３３には、対象領域Ｅ６を含む分割イメージデータ１１１（対象分割イメージデータ）、およびこれに隣接する分割イメージデータ１１２（隣接分割イメージデータ）が展開される。図７（ｂ）に示すように、対象領域Ｅ６が分割イメージデータ１１１および分割イメージデータ１１２に亘るように移動すると、ＲＡＭ３３には、展開されていた分割イメージデータ１１１，１１２に加えて、隣接する分割イメージデータ１１３が新たに展開される。これは、対象領域Ｅ６を含む分割イメージデータ１１１，１１２が対象分割イメージデータとして、これに隣接する分割イメージデータ１１３が隣接分割イメージデータとして、ＲＡＭ３３に展開されるからである。図７（ｃ）に示すように、対象領域Ｅ６が、分割イメージデータ１１２内に移動すると、対象領域Ｅ６を含む分割イメージデータ１１２が対象分割イメージデータとして、これに隣接する分割イメージデータ１１１，１１３が隣接分割イメージデータとして、ＲＡＭ３３に展開されるが、図７（ｂ）における展開内容と変わらない。図７（ｄ）に示すように、対象領域Ｅ６が分割イメージデータ１１２および分割イメージデータ１１３に亘るように移動すると、ＲＡＭ３３には、展開されていた分割イメージデータ１１１，１１２，１１３に加えて、隣接する分割イメージデータ１１４が新たに展開される。これは、対象領域Ｅ６を含む分割イメージデータ１１３，１１４が対象分割イメージデータとして、これに隣接する分割イメージデータ１１１，１１４が隣接分割イメージデータとして、ＲＡＭ３３に展開されるからである。図７（ｅ）〜（≡）に示すように、対象領域Ｅ６の移動に伴って、ＲＡＭ３３に展開される分割イメージデータＢ（１１１〜１１５）は変化していく。なお、請求項における「対象分割データ」とは、対象分割イメージデータをさし、「隣接分割データ」とは、隣接分割イメージデータをさす。
【００４７】
なお、図７に示すように、印刷イメージデータＡをテープ長方向にのみ分割して分割イメージデータＢを生成する場合、ＲＡＭ３３に展開される分割イメージデータＢの最高個数は、４個となる（図７（ｄ）および（ｆ）参照）。よって、印刷イメージデータＡの容量がＲＡＭ３３の容量Ｘをオーバーして分割イメージデータＢを生成する場合、ＲＡＭ３３に展開される４個の分割イメージデータＢの合計容量がＲＡＭ３３の容量Ｘを超えるとプレビュー表示不能となるため、１つの分割イメージデータＢの容量がＸ／４未満となるように、且つ５個以上の分割イメージデータＢに分割することが望ましい。なお、生成される分割イメージデータＢの個数（５個以上）は、テープ幅およびテープ長に応じて決まる印刷イメージデータのデータ量に応じて、決定される。
【００４８】
次に、図８のフローチャートを参照し、携帯端末２のプレビュー表示処理について説明する。先ず、携帯端末２は、「プレビュー」ボタンの押下信号を受信すると（Ｓ０１）、印刷データおよびテープ幅の設定から印刷イメージデータＡを生成し、印刷イメージデータＡの容量がＲＡＭ３３の容量Ｘを超えるか否かを判定する（Ｓ０２）。印刷イメージデータＡの容量がＲＡＭ３３の容量Ｘを超える場合（Ｓ０２：Ｙｅｓ）、印刷イメージデータＡを、１つの分割イメージデータＢの容量がＸ／４未満となるように、５つ以上の分割イメージデータＢに分割する（Ｓ０３）。そして、各分割イメージデータＢをフラッシュＲＯＭにファイル保存する（Ｓ０４）。そして、プレビュー表示の対象領域Ｅ６を含む対象分割イメージデータＢと、対象分割イメージデータＢに隣接する隣接分割イメージデータＢと、をＲＡＭに展開する（Ｓ０５）。そして、対象分割イメージデータＢプをプレビュー表示領域Ｅ５にプレビュー表示する（Ｓ０６）。その後、ユーザーのフリック操作に基づいて、対象分割イメージデータＢが変化する旨の操作信号を受信すると（Ｓ０７：Ｙｅｓ）、Ｓ０５〜Ｓ０６のフローを繰り返す。一方、対象分割イメージデータＢが変化する旨の操作信号を受信しない場合（Ｓ０７：Ｎｏ）、Ｓ０８に移行する。クローズボタンの押下信号を受信すると（Ｓ０８）、プレビュー表示を終了する（Ｓ０９）。
【００４９】
一方、印刷イメージデータＡの容量がＲＡＭ３３の容量Ｘを超えない場合（Ｓ０２：Ｎｏ）、印刷イメージデータＡを分割せずにフラッシュＲＯＭにファイル保存する（Ｓ１０）。そして、印刷イメージデータＡをＲＡＭに展開し（Ｓ１１）、印刷イメージデータＡプをプレビュー表示領域Ｅ５にプレビュー表示する（Ｓ１２）。以下、Ｓ０８およびＳ０９のフローを実行する。
【００５０】
これまで説明した構成によれば、プレビュー表示のための印刷イメージデータＡの容量が、ＲＡＭ３３の容量をオーバーする場合、印刷イメージデータＡを分割し、プレビュー表示時に、プレビュー表示の対象領域Ｅ６を含む対象分割イメージデータＢとこれに隣接する隣接分割イメージデータＢを展開するため、展開するデータ量を抑えつつも、サイズの大きい印刷イメージデータＡをプレビュー表示することができる。また、隣接分割イメージデータＢを予め展開させておくため、プレビュー表示の対象領域Ｅ６を隣り合う複数の分割データの間でスムーズに移動させることができる。
【００５１】
上記の説明では、印刷イメージデータＡをテープ長方向にのみ分割して分割イメージデータＢを生成する場合を例示したが、印刷イメージデータＡをテープ幅方向に分割して分割イメージデータＢを生成しても良い。さらに、テープ長方向およびテープ幅方向に分割して分割イメージデータＢを生成しても良い。これによれば、テープ幅方向に長い印刷イメージデータＡをプレビュー表示する場合や、プレビュー表示画面Ｄ２にプレビュー表示可能な領域のテープ幅方向の長さが、印刷イメージデータＡのテープ幅方向の長さよりも小さい場合に、より均等なデータ量となるように適切に分割イメージデータＢを生成することができる。
【００５２】
なお、上記の実施形態において、プレビュー表示の対象領域Ｅ６を含む対象分割イメージデータＢと共に、隣接する隣接分割イメージデータＢをＲＡＭ３３に展開したが、対象分割イメージデータＢのみＲＡＭ３３に展開する構成としてもよい。これによれば、ＲＡＭ３３に展開する分割イメージデータＢの個数を減らすことができる。
【００５３】
なお、上記の各実施形態に示した、印刷システム１の各構成要素をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード、コンパクトディスク、光磁気ディスク、デジタルバーサタイルディスクおよびフレキシブルディスク等を利用することができる。
【００５４】
また、上述した実施例によらず、印刷システム１の装置構成や処理工程等について、本発明の要旨を逸脱しない範囲で、適宜変更も可能である。
【符号の説明】
【００５５】
２：携帯端末  ３：テープ印刷装置  １２：タッチパネル  １３：無線通信装置  ２２：フラッシュＲＯＭ  ３１：ＣＰＵ  ３２：ＲＯＭ  ３３：ＲＡＭ  ４１：印刷データ生成部  ４２：分割データ生成部  ４３：プレビュー表示部  ４４：フリック操作部  ４５：印刷データ送信部  ５８：「プレビュー」ボタン  Ａ：印刷イメージデータ  Ｂ：分割イメージデータ  Ｄ２：プレビュー表示画面  Ｅ５：プレビュー表示領域  Ｅ６：対象領域  Ｔ：印刷テープ
【図１】
0005803346.tif 000002
【図２】
0005803346.tif 000003
【図３】
0005803346.tif 000004
【図４】
0005803346.tif 000005
【図５】
0005803346.tif 000006
【図６】
0005803346.tif 000007
【図７】
0005803346.tif 000008
【図８】
0005803346.tif 000009